(57)【要約】【課題】ディスプレイ付送受信機を小型化することができ、また、ディスプレイによる特性上の影響が少ないディスプレイ付パッチアンテナを提供することを目的とするものである。【解決手段】円偏波を励振するパッチ素子と、基体を挟んで、パッチ素子と対向し、基体に設けられているＧＮＤ導体と、パッチ素子を挟んで基体の反対側であって、パッチ素子に固定されているディスプレイとを有し、ディスプレイの中心点から第１の方向に向かってディスプレイの外縁までの距離をｄ１とし、中心点から第１の方向と反対の方向である第２の方向に向かってディスプレイの外縁までの距離をｄ２とし、また、中心点から第１の方向に向かってパッチ素子の外縁までの距離をｅ１とし、中心点から第２の方向に向かってパッチ素子の外縁までの距離をｅ２とした場合、「ｅ１−ｄ１」と「ｅ２−ｄ２」とがほぼ同じである。【選択図】　図１
2004080159.tif 000002
【特許請求の範囲】
【請求項１】
誘電体または磁性体によって構成されている基体と；
上記基体に設けられ、円偏波を励振するパッチ素子と；
上記パッチ素子と対向するように間隔を隔てて上記基体の表面または内部に設けられているＧＮＤ導体と；
上記パッチ素子を挟んで上記基体の反対側であって、上記パッチ素子に固定されているディスプレイと；
を有し、
上記ディスプレイの中心点から第１の方向に向かって上記ディスプレイの外縁までの距離をｄ１とし、上記中心点から上記第１の方向と反対の方向である第２の方向に向かって上記ディスプレイの外縁までの距離をｄ２とし、また、上記中心点から上記第１の方向に向かって上記パッチ素子の外縁までの距離をｅ１とし、上記中心点から上記第２の方向に向かって上記パッチ素子の外縁までの距離をｅ２とした場合、「ｅ１−ｄ１」と「ｅ２−ｄ２」とがほぼ同じであることを特徴とするディスプレイ付パッチアンテナ。
【請求項２】
請求項１において、
上記中心点から上記第１の方向と直交する方向である第３の方向に向かって上記ディスプレイの外縁までの距離をｄ３とし、上記中心点から上記第３の方向と反対の方向である第４の方向に向かって上記ディスプレイの外縁までの距離をｄ４とし、また、上記中心点から上記第３の方向に向かって上記パッチ素子の外縁までの距離をｅ３とし、上記中心点から上記第４の方向に向かって上記パッチ素子の外縁までの距離をｅ４とした場合、「ｅ３−ｄ３」と「ｅ４−ｄ４」とがほぼ同じであることを特徴とするディスプレイ付パッチアンテナ。
【請求項３】
請求項１または請求項２において、
上記パッチ素子の給電用導体は、上記パッチ素子と容量結合され、上記パッチ素子に給電することを特徴とするディスプレイ付パッチアンテナ。
【請求項４】
請求項１〜請求項３のいずれか１項において、
上記ＧＮＤ導体から見て上記パッチ素子の反対側であって、上記ＧＮＤ導体側に、受信回路または送受信回路が設けられていることを特徴とするディスプレイ付パッチアンテナ。
【請求項５】
請求項４において、
上記受信回路または送受信回路は、少なくともその一部が、上記基体の内部に構成されていることを特徴とするディスプレイ付パッチアンテナ。
【請求項６】
請求項５において、
上記基体は、その中心点部にキャビティを具備し、
上記ディスプレイ付アンテナが受信した信号を処理するローノイズアンプとバンドパスフィルタとによって構成されているフロントエンド部が、上記キャビティに構成され、
上記受信回路または送受信回路のうちで、上記基体の内部に構成されている回路以外の回路が、上記ＧＮＤ導体から見て上記パッチ素子と反対側であって、上記ＧＮＤ導体側に設けられていることを特徴とするディスプレイ付パッチアンテナ。
【請求項７】
請求項１〜請求項６のいずれか１項において、
上記パッチ素子の内部にくり貫き部が設けられ、上記くり抜き部の中に、別のパッチ素子が構成されていることを特徴とするディスプレイ付パッチアンテナ。
【発明の詳細な説明】
【０００１】
【発明の属する技術分野】
本発明は、移動体通信、ローカル・エリア・ネットワーク、ＩＴＳ、ＥＴＣ、ＧＰＳ等に使用するパッチアンテナに関する。
【０００２】
【従来の技術】
図１８は、従来のディスプレイ付パッチアンテナＤＡ２０を示す側面図である。
【０００３】
従来のディスプレイ付パッチアンテナＤＡ２０は、実開平５−６３７９号に開示されているパッチアンテナであり、衛星受信用の平面アンテナを筐体に内蔵し、しかも、そのアンテナの受信面が、液晶等の表示部を支えている。
【０００４】
つまり、従来のディスプレイ付パッチアンテナＤＡ２０は、アンテナ２９の上に、ディスプレイ３９と、タッチパネル９８とが設けられ、タッチパネル９８に押圧型キーボード９９が接続され、ディスプレイ３９に基板７９が接続されている。
【０００５】
また、特開平５−１１０３３１号公報には、液晶表示機能を内蔵したマイクロストリップアンテナが開示され、特開２０００−１３８５１公報、特開平５−３３５８２６号公報には、ディスプレイ上に構成する透明アンテナが開示されている。これらは、いずれも表示部の上にアンテナ素子を配置し、アンテナ素子を通して表示を確認するものであり、したがって、アンテナ素子は透明電極で構成されている。
【０００６】
【発明が解決しようとする課題】
しかし、従来のパッチアンテナＤＡ２０は、平面型アンテナの受信表面にディスプレイを配置しているので、ディスプレイの影響によってアンテナの特性が劣化するという問題がある。
【０００７】
ところで、一般的に、人工衛星から受信する信号は円偏波の信号であり、この円偏波の信号を最も効率よく受信するためには、受信アンテナも円偏波対応であることが望ましいが、従来のパッチアンテナＤＡ２０は、円偏波対応アンテナではないので、効率よく受信することができない。
【０００８】
従来のパッチアンテナＤＡ２０において、アンテナを円偏波対応の受信アンテナを採用することが考えられるが、このようにしたとしても、円偏波対応の受信アンテナの表面に設置されているディスプレイやタッチパネルの影響で、きちんとした円偏波のアンテナを構成することが困難であるという問題がある。
【０００９】
一方、ディスプレイとアンテナとの配置関係を逆にし、つまり、ディスプレイ上にアンテナを配置し、しかも、アンテナとして透明アンテナを使用し、つまりアンテナを構成する電極を透明にすることが考えられるが、このようにすると、透明電極は内部抵抗が非常に高く、このために、充分な放射特性を得ることができないという問題がある。
【００１０】
本発明は、ディスプレイ付送受信機を小型化することができ、また、ディスプレイによる特性上の影響が少ないディスプレイ付パッチアンテナを提供することを目的とするものである。
【００１１】
【課題を解決するための手段】
本発明は、誘電体または磁性体によって構成されている基体と、上記基体に設けられ、円偏波を励振するパッチ素子と、上記パッチ素子と対向するように間隔を隔てて上記基体の表面または内部に設けられているＧＮＤ導体と、上記パッチ素子を挟んで上記基体の反対側であって、上記パッチ素子に固定されているディスプレイとを有し、上記ディスプレイの中心点から第１の方向に向かって上記ディスプレイの外縁までの距離をｄ１とし、上記中心点から上記第１の方向と反対の方向である第２の方向に向かって上記ディスプレイの外縁までの距離をｄ２とし、また、上記中心点から上記第１の方向に向かって上記パッチ素子の外縁までの距離をｅ１とし、上記中心点から上記第２の方向に向かって上記パッチ素子の外縁までの距離をｅ２とした場合、「ｅ１−ｄ１」と「ｅ２−ｄ２」とがほぼ同じであるディスプレイ付パッチアンテナである。
【００１２】
【発明の実施の形態および実施例】
図１は、本発明の第１実施例であるディスプレイ付パッチアンテナＤＡ１を示す斜視図である。
【００１３】
図２は、ディスプレイ付パッチアンテナＤＡ１の側面図である。
【００１４】
ディスプレイ付パッチアンテナＤＡ１は、移動体通信、ローカル・エリア・ネットワーク、ＩＴＳ、ＥＴＣ、ＧＰＳ等で使用するディスプレイ付パッチアンテナであり、他の実施例においても同様である。
【００１５】
ディスプレイ付パッチアンテナＤＡ１は、基体１１と、パッチ素子２１と、ディスプレイ３１と、給電端子４１と、ケーブル５１と、コネクタ６１と、基板７１と、ＧＮＤ導体８１とを有する。
【００１６】
基体１１は、誘電体または磁性体によって構成されている基体である。上記誘電体または磁性体は、樹脂またはセラミック、またはそれらをコンポジットされているハイブリッド材料によって構成されている。
【００１７】
パッチ素子２１は、基体１１に設けられ、円偏波を励振する素子であり、その対角線上の２つの隅部に、切り欠き２１ａ、２１ｂが設けられている。
【００１８】
ＧＮＤ導体８１は、パッチ素子２１と対向するように間隔を隔てて基体１１に設けられている導体である。
【００１９】
ディスプレイ３１は、パッチ素子２１から見て基体１１の反対側であって、パッチ素子２１に固定されている。
【００２０】
図３は、ディスプレイ付パッチアンテナＤＡ１において、パッチ素子２１とディスプレイ３１との位置関係を示す図である。
【００２１】
図３（１）は、ディスプレイ付パッチアンテナＤＡ１の必要部分を示す平面図であり、図３（２）は、図３（１）における方向を示す図である。
【００２２】
ディスプレイ３１の中心点３１ＣＰから第１の方向（紙面の上方向）に向かってディスプレイ３１の外縁までの距離をｄ１とし、中心点３１ＣＰから上記第１の方向と反対の方向である第２の方向（紙面の下方向）に向かってディスプレイ３１の外縁までの距離をｄ２とし、また、中心点３１ＣＰから上記第１の方向に向かってパッチ素子２１の外縁までの距離をｅ１とし、中心点３１ＣＰから上記第２の方向に向かってパッチ素子２１の外縁までの距離をｅ２とした場合、「ｅ１−ｄ１」と「ｅ２−ｄ２」とがほぼ同じである。
【００２３】
つまり、図３（１）の上部におけるパッチ素子２１の外縁とディスプレイ３１の外縁との距離と、図３（１）の下部におけるパッチ素子２１の外縁とディスプレイ３１の外縁との距離とがほぼ同じである。
【００２４】
また、中心点３１ＣＰから上記第１の方向と直交する方向である第３の方向（紙面の左方向）に向かってディスプレイ３１の外縁までの距離をｄ３とし、中心点３１ＣＰから上記第３の方向と反対の方向である第４の方向（紙面の右方向）に向かってディスプレイ３１の外縁までの距離をｄ４とし、また、中心点３１ＣＰから上記第３の方向に向かってパッチ素子２１の外縁までの距離をｅ３とし、中心点３１ＣＰから上記第４の方向に向かってパッチ素子２１の外縁までの距離をｅ４とした場合、「ｅ３−ｄ３」と「ｅ４−ｄ４」とがほぼ同じである。
【００２５】
つまり、図３（１）の左側におけるパッチ素子２１の外縁とディスプレイ３１の外縁との距離と、図３（１）の右側におけるパッチ素子２１の外縁とディスプレイ３１の外縁との距離とがほぼ同じである。
【００２６】
なお、上記第１の方向を、紙面の上方向以外に設定するようにしてもよい。
【００２７】
このパッチ素子２１は、円偏波を励振するパターンを有する。たとえば、４つのコーナ部のうち、対向する２つのコーナに切り欠き２１ａ、２１ｂが設けられている。パッチ素子２１の切り欠き２１ａ、２１ｂ量を調整することによって、軸比を合わせることができる。
【００２８】
パッチ素子２１で円偏波を励振する場合、上記方法の他に、パッチ素子２１の隣り合う２辺の長さを、互いに少し変え、対角線上から給電する方法を採用するようにしてもよい。
【００２９】
パッチ素子２１の中心点を通り、パッチ素子２１の辺と平行な線上に、給電端子４１が設けられ、この場合、受信回路または送受信回路とインピーダンスマッチングが取れる位置に、給電端子４１を構成する。なお、給電端子４１は、スルーホール等によって構成されている。
【００３０】
また、給電端子４１と、パッチ素子２１の辺と平行な線と直交し、パッチ素子２１の中心点を通る線上に、別の給電端子を用意し、これらの給電端子に、互いに位相を９０度ずらして給電する方法を採用するようにしてもよい。
【００３１】
なお、パッチ素子２１の形状は、矩形である必要はなく、円形や楕円形でもよい。
【００３２】
この場合、上記辺は、存在しないが、考え方としては、２つの直交する共振系に、位相が９０度ずれて給電される構成になっていればよい。
【００３３】
このように構成したディスプレイ付パッチアンテナＤＡ１上に構成されたパッチ素子２１の表面であって、パッチ素子２１のエッジよりも内側部分に、液晶や有機ＥＬ、無機ＥＬ等のディスプレイ３１を実装し、ディスプレイ３１と電気的に接続するケーブル５１と、コネクタ６１とが設けられている。
【００３４】
また、ディスプレイ付パッチアンテナＤＡ１は、一般的な実装基板７１に搭載され、実装基板７１のディスプレイ付パッチアンテナＤＡ１を実装した面と逆の面のちょうどアンテナの裏に当たる部分には、受信回路または送受信回路を構成する実装部品９１が搭載され、パッチ素子２１とは、給電端子４１のピン導体、スルーホール等で電気的に接続されている。
【００３５】
ディスプレイ付パッチアンテナＤＡ１は、パッチ素子２１の外縁とディスプレイ３１の外縁との差の距離が、その４つの方向で互いに等しい。つまり、（ｅ１−ｄ１）＝（ｅ２−ｄ２）＝（ｅ３−ｄ３）＝（ｅ４−ｄ４）である。したがって、ディスプレイ３１による特性上の影響が少ない。
【００３６】
なお、パッチ素子２１の外縁とディスプレイ３１の外縁との差の距離が、その４つの方向では等しくないが、互いに反対の方向である２つの方向で上記差の距離が等しくなるようにしても、ディスプレイ３１による特性上の影響が少ない。
【００３７】
つまり、たとえば、第１の方向におけるパッチ素子２１の外縁とディスプレイ３１の外縁との差の距離と、第１の方向と反対の方向である第２の方向におけるパッチ素子２１の外縁とディスプレイ３１の外縁との差の距離とが互いに等しくなるようにしてもよい。つまり、（ｅ１−ｄ１）＝（ｅ２−ｄ２）≠（ｅ３−ｄ３）＝（ｅ４−ｄ４）であるか、または、（ｅ１−ｄ１）＝（ｅ２−ｄ２）≠（ｅ３−ｄ３）であるか、または、（ｅ１−ｄ１）＝（ｅ２−ｄ２）≠（ｅ４−ｄ４）である。
【００３８】
この場合、上記第１の方向は、任意の方向である。
【００３９】
図４は、ディスプレイ付パッチアンテナＤＡ１を使用した携帯電話Ｔ１を示す斜視図である。
【００４０】
携帯電話Ｔ１は、折り曲げ式の筐体Ｃ１を有する携帯電話であるが、折り曲げ以外の携帯電話等、無線携帯電話に、上記実施例を適用するようにしてもよく、また、携帯電話以外の端末に、上記実施例を適用するようにしてもよい。
【００４１】
図５は、本発明の第２の実施例であるディスプレイ付パッチアンテナＤＡ２を示す斜視図である。
【００４２】
図６は、ディスプレイ付パッチアンテナＤＡ２を示す側面図である。
【００４３】
ディスプレイ付パッチアンテナＤＡ２は、ディスプレイ付パッチアンテナＤＡ１において、その給電方式を、容量結合としたものである。
【００４４】
ディスプレイ付パッチアンテナＤＡ２は、ディスプレイ付パッチアンテナＤＡ１において、ピン給電を行う給電端子４１の代わりに、パッチ素子２１に対向する容量給電素子４２と、容量給電素子４２に接続されている給電端子４３とを設けたものである。
【００４５】
ディスプレイ付パッチアンテナＤＡ２において円偏波を励振する考え方は、ディスプレイ付パッチアンテナＤＡ１のそれと全く同じであり、パッチ素子２１のエッジ部から容量結合によって給電しても、ディスプレイ付パッチアンテナＤＡ１と同じ特性を得ることができる。この場合、結合量によって、インピーダンスマッチングを調整する。これ以外の構成や特徴については、ディスプレイ付パッチアンテナＤＡ１と同じである。
【００４６】
図７は、本発明の第３の実施例であるディスプレイ付パッチアンテナＤＡ３を示す斜視図である。
【００４７】
図８は、ディスプレイ付パッチアンテナＤＡ３を示す側面図である。
【００４８】
ディスプレイ付パッチアンテナＤＡ１、ＤＡ２では、基体１１の裏面がＧＮＤ導体８１であるが、ディスプレイ付パッチアンテナＤＡ３においては、ＧＮＤ導体８２が、基体１１に内層され、基体１１の裏面には、受信回路または送受信回路の実装部品９１のランドパターン９１１と、配線パター９１２と、インダクタンスパターン９１３とが設けられている。
【００４９】
実装部品９１は、シールドケースＳＣ１によって覆われ、また、その部品実装面には外部との接続用のコネクタ９２が実装されている。
【００５０】
図９は、本発明の第４の実施例であるディスプレイ付パッチアンテナＤＡ４を示す斜視図である。
【００５１】
図１０は、ディスプレイ付パッチアンテナＤＡ４を示す側面図である。
【００５２】
ディスプレイ付パッチアンテナＤＡ４は、基体１２のキャビティ１２Ｃに、ＲＦ用実装部品９３を内蔵するディスプレイ付パッチアンテナである。
【００５３】
基体１２は、基体１１と同様のものであり、キャビティ１２Ｃは、基体１２に設けられたくり貫き部である。ＲＦ用実装部品９３は、受信回路または送受信回路を構成する部品であり、アンテナから最も近い部分であるローノイズアンプと、バンドパスフィルタとによって構成されているフロントエンド部を構成し、アンテナの裏面には、それ以外の回路を構成したものである。シールドケースＳＣ１の構成や、コネクタ９２を実装する構造については、ディスプレイ付パッチアンテナＤＡ３と同じである。
【００５４】
つまり、ディスプレイ付パッチアンテナＤＡ４は、パッチアンテナ一体型のＲＦユニットであって、上記受信回路または送受信回路の少なくとも一部が上記基体の内部に構成されているディスプレイ付パッチアンテナの例である。
【００５５】
図１１は、本発明の第５実施例であるディスプレイ付パッチアンテナＤＡ５を示す斜視図である。
【００５６】
図１１（１）は、ディスプレイ付パッチアンテナＤＡ５を示す斜視図であり、図１１（２）は、ディスプレイ付パッチアンテナＤＡ５に設けられているパッチ素子２２と、くり貫き部２２ｃと、パッチ素子２３との相互関係を示す平面図である。
【００５７】
図１２は、ディスプレイ付パッチアンテナＤＡ５を示す側面図である。
【００５８】
ディスプレイ付パッチアンテナＤＡ５は、ディスプレイ付パッチアンテナＤＡ３において、パッチ素子２１の代わりに、パッチ素子２２、２３を設け、シールドケースＳＣ２を加え、シールドケースＳＣ２内に、実装部品９５を設けたものである。
【００５９】
パッチ素子２２は、その内部にくり貫き部２２ｃを設け、その内部に別のパッチ素子２３を構成した例である。このときも、外周のパッチ素子２２のエッジ部よりも内側に、ディスプレイ３１を実装している。これによって、パッチ素子２２の切り欠き２２ａ、２２ｂは、ディスプレイ３１の影響を受けないので、円偏波を励振することができる。また、内部のパッチ素子２３は、どうしてもディスプレイ３１の影響を受けるが、こちら側のアンテナは、それほど受信感度を必要としないシステムに使用することができる。その他の構成については、ディスプレイ付パッチアンテナＤＡ１〜ＤＡ４と同様である。
【００６０】
つまり、ディスプレイ付パッチアンテナＤＡ５は、パッチアンテナまたはパッチアンテナ一体型のＲＦユニットであって、上記パッチ素子の内部にくり貫き部が設けられ、上記くり抜き部の中に、別のアンテナ素子が構成されているディスプレイ付パッチアンテナの例である。
【００６１】
なお、ディスプレイ付アンテナＤＡ５を、ＰＤＡに搭載するようにしてもよい。一般的なＰＤＡは比較的大きなディスプレイを有しているので、ディスプレイ付パッチアンテナＤＡ５を構成し易い。また、ＰＤＡ以外にも、ディスプレイを有する無線携帯端末であれば、ＰＤＡ以外の無線携帯端末に、上記各実施例を適用するようにしてもよい。
【００６２】
上記各実施例における基体１１、１２は、セラミック、樹脂、セラミックと樹脂のコンポジット材料であり、セラミックとしては、ガラス系、フォルステライト系等のセラミック材料を使用することができ、また、樹脂としては、エポキシ、フェノール、ＰＰＥ、ＢＴレジン、ビニルベンジル、ポリフマレート、テフロン（登録商標）等の樹脂材料を使用することができる。
【００６３】
また、導体部分を構成する材料は、金、銀、銅、パラジウム、白金、銀パラジウム、銀白金、アルミニウム等の導体を使用し、印刷、めっき、蒸着、スパッタ、エッチング等によって構成されている。
【００６４】
携帯電話のように、耳につけて利用する場合、ディスプレイ３１にアンテナを構成しても、人間の頭の影響で、十分なアンテナ特性を得ることができないので、上記実施例が採用されていないが、携帯機器の利用方法の主体は、近年、音声通信よりも、データ通信が増えつつあり、この場合の利用形態は、耳につけるのではなく、ディスプレイ３１を顔の正面に向けた使い方である。この場合、ディスプレイ３１の向きは、天空方向、または、それよりも斜めに傾けた程度の使い方である。
【００６５】
この使い方であれば、これまでタブーとされていたディスプレイ３１へのアンテナ構成は、パッチタイプのアンテナを用いることによって、最も良好な特性を得ることができる。
【００６６】
実際の例として考えられるのは、ＧＰＳ（１．５ＧＨｚ）、衛星デジタル放送（２．６ＧＨｚ）等の衛星受信用のアンテナおよびＲＦユニットや、無線ＬＡＮ（２．４ＧＨｚ、５．２ＧＨｚ）、Ｂｌｕｅｔｏｏｔｈ（２．４ＧＨｚ）、ＵＷＢ（３〜１０ＧＨｚ）等のＰＡＮ（パーソナルエリアネットワーク）送受信用のアンテナおよびＲＦユニットや、Ｗ−ＣＤＭＡ、ＣＤＭＡ２０００、ＥＤＧＥ（いずれも２ＧＨｚ）等の第３世代のデータ通信、パケット通信の送受信用のアンテナおよびＲＦユニット等が挙げられる。
【００６７】
図１３は、本発明の第６の実施例であるディスプレイ付パッチアンテナＤＡ６において、パッチ素子２３とディスプレイ３３との関係を示す図である。
【００６８】
図１３（１）は、パッチ素子２３とディスプレイ３３との関係を示す平面図であり、図１３（２）は、その正面図である。
【００６９】
ディスプレイ付パッチアンテナＤＡ６は、パッチ素子２３、ディスプレイ３３以外は、ディスプレイ付パッチアンテナＤＡ１〜ＤＡ５と同様であり、ディスプレイ３３の中心点からパッチ素子２３の外縁までの距離と、ディスプレイ３３の外縁間での距離との差が、図１３（１）における上端と下端との間で、互いに同じであり、また、ディスプレイ３３の中心点からパッチ素子２３の外縁までの距離と、ディスプレイ３３の外縁間での距離との差が、図１３（１）における左端と右端との間で、互いに同じである。
【００７０】
なお、ディスプレイ付パッチアンテナＤＡ６は、図１３（１）において、パッチ素子２３の幅と、ディスプレイ３３の幅とが互いに同じであるが、パッチ素子２３の高さと、ディスプレイ３３の高さとが互いに異なる。つまり、（ｅ１−ｄ１）＝（ｅ２−ｄ２）≠０であり、しかも（ｅ３−ｄ３）＝（ｅ４−ｄ４）＝０である。
【００７１】
図１４は、本発明の第７の実施例であるディスプレイ付パッチアンテナＤＡ７において、パッチ素子２４とディスプレイ３４との関係を示す図である。
【００７２】
図１４（１）は、パッチ素子２４とディスプレイ３４との関係を示す平面図であり、図１４（２）は、その正面図である。
【００７３】
ディスプレイ付パッチアンテナＤＡ７は、パッチ素子２４、ディスプレイ３４以外は、ディスプレイ付パッチアンテナＤＡ１〜ＤＡ５と同様であり、ディスプレイ３４の中心点からパッチ素子２４の外縁までの距離と、ディスプレイ３４の外縁間での距離との差が、図１４（１）における上端と下端との間で、互いに異なるが、ディスプレイ３４の中心点からパッチ素子２４の外縁までの距離と、ディスプレイ３４の外縁までの距離との差が、図１４（１）における左端と右端との間で、互いに同じである。
【００７４】
なお、ディスプレイ付パッチアンテナＤＡ７は、図１４（１）において、パッチ素子２４の幅と、ディスプレイ３４の幅とが互いに同じであるが、パッチ素子２４の高さと、ディスプレイ３４の高さとが互いに異なる。つまり、（ｅ１−ｄ１）≠（ｅ２−ｄ２）であり、しかも、（ｅ３−ｄ３）＝（ｅ４−ｄ４）である。
【００７５】
図１５は、本発明の第８の実施例であるディスプレイ付パッチアンテナＤＡ８において、パッチ素子２５とディスプレイ３５との関係を示す図である。
【００７６】
図１５（１）は、パッチ素子２５とディスプレイ３５との関係を示す平面図であり、図１５（２）は、その正面図である。
【００７７】
ディスプレイ付パッチアンテナＤＡ８は、パッチ素子２５、ディスプレイ３５以外は、ディスプレイ付パッチアンテナＤＡ１〜ＤＡ５と同様であり、ディスプレイ３５の中心点からパッチ素子２５の外縁までの距離と、ディスプレイ３５の外縁間での距離との差が、図１５（１）における上端と下端との間で、互いに異なるが、図１５（１）における左端と右端との間で、ディスプレイ３５の中心点からパッチ素子２５の外縁までの距離と、ディスプレイ３５の外縁までの距離との差が互いに同じである。
【００７８】
なお、ディスプレイ付パッチアンテナＤＡ８は、図１５（１）において、パッチ素子２５の幅と、ディスプレイ３５の幅とが互いに同じであるが、パッチ素子２５の高さと、ディスプレイ３５の高さとが互いに異なる。つまり、（ｅ１−ｄ１）≠（ｅ２−ｄ２）であり、しかも、（ｅ３−ｄ３）＝（ｅ４−ｄ４）＝０である。
【００７９】
図１６は、本発明の第９の実施例であるディスプレイ付パッチアンテナＤＡ９において、パッチ素子２６とディスプレイ３６との関係を示す図である。
【００８０】
図１６（１）は、パッチ素子２６とディスプレイ３６との関係を示す平面図であり、図１６（２）は、その正面図である。
【００８１】
ディスプレイ付パッチアンテナＤＡ９は、パッチ素子２６、ディスプレイ３６以外は、ディスプレイ付パッチアンテナＤＡ１〜ＤＡ５と同様であり、ディスプレイ３６の中心点からパッチ素子２６の外縁までの距離と、ディスプレイ３６の外縁間での距離との差が、図１６（１）における上端と下端との間で、互いに同じであり、ディスプレイ３６の中心点からパッチ素子２６の外縁までの距離と、ディスプレイ３６の外縁までの距離との差が、図１６（１）における左端と右端との間で、互いに同じである。
【００８２】
なお、ディスプレイ付パッチアンテナＤＡ９は、図１６（１）において、パッチ素子２６の幅と、ディスプレイ３６の幅とが互いに異なり、パッチ素子２６の高さと、ディスプレイ３６の高さとが互いに異なる。つまり、（ｅ１−ｄ１）＝（ｅ２−ｄ２）＜０であり、しかも、（ｅ３−ｄ３）＝（ｅ４−ｄ４）＜０である。
【００８３】
図１７は、本発明の第１０の実施例であるディスプレイ付パッチアンテナＤＡ１０において、パッチ素子２７とディスプレイ３１との関係を示す図である。
【００８４】
図１７（１）は、パッチ素子２７とディスプレイ３１との関係を示す平面図であり、図１７（２）は、その正面図である。
【００８５】
ディスプレイ付パッチアンテナＤＡ１０は、パッチ素子２７以外は、ディスプレイ付パッチアンテナＤＡ１〜ＤＡ５と同様であり、基本的には、ディスプレイ付パッチアンテナＤＡ１において、パッチ素子２１の代わりに、パッチ素子２７を有する。パッチ素子２７は、パッチ素子２１において、切り欠き２１ａ、２１ｂの代わりに、突起２７ａ、２７ｂを有するものである。
【００８６】
つまり、パッチ素子において、切り欠きの代わりに突起を設けても、円偏波を励振することができる。
【００８７】
また、上記各実施例において、パッチ素子の形状を、矩形または円形に設定してもよく、ディスプレイの形状も、矩形または円形に設定してもよい。
【００８８】
さらに、上記各実施例において、１枚のパッチ素子の上に、複数枚のディスプレイを固定するようにしてもよい。
【００８９】
【発明の効果】
本発明によれば、携帯端末に有利な円偏波を励振するアンテナを、従来デッドスペースであった部分に構成することができるので、ディスプレイ付パッチアンテナを有するセットを小型化することができ、また、ディスプレイによる特性上の影響が少ないので、利得、帯域幅等の特性が優れているという効果を奏する。
【図面の簡単な説明】
【図１】本発明の第１実施例であるディスプレイ付パッチアンテナＤＡ１を示す斜視図である。
【図２】ディスプレイ付パッチアンテナＤＡ１の側面図である。
【図３】ディスプレイ付パッチアンテナＤＡ１において、パッチ素子２１とディスプレイ３１との位置関係を示す図である。
【図４】ディスプレイ付パッチアンテナＤＡ１を使用した携帯電話Ｔ１を示す斜視図である。
【図５】本発明の第２の実施例であるディスプレイ付パッチアンテナＤＡ２を示す斜視図である。
【図６】ディスプレイ付パッチアンテナＤＡ２を示す側面図である。
【図７】本発明の第３の実施例であるディスプレイ付パッチアンテナＤＡ３を示す斜視図である。
【図８】ディスプレイ付パッチアンテナＤＡ３を示す側面図である。
【図９】本発明の第４の実施例であるディスプレイ付パッチアンテナＤＡ４を示す斜視図である。
【図１０】ディスプレイ付パッチアンテナＤＡ４を示す側面図である。
【図１１】
本発明の第５実施例であるディスプレイ付パッチアンテナＤＡ５を示す斜視図である。
【図１２】ディスプレイ付パッチアンテナＤＡ５を示す側面図である。
【図１３】本発明の第６の実施例であるディスプレイ付パッチアンテナＤＡ６において、パッチ素子２３とディスプレイ３３との関係を示す図である。
【図１４】本発明の第７の実施例であるディスプレイ付パッチアンテナＤＡ７において、パッチ素子２４とディスプレイ３４との関係を示す図である。
【図１５】本発明の第８の実施例であるディスプレイ付パッチアンテナＤＡ８において、パッチ素子２５とディスプレイ３５との関係を示す図である。
【図１６】本発明の第９の実施例であるディスプレイ付パッチアンテナＤＡ９において、パッチ素子２６とディスプレイ３６との関係を示す図である。
【図１７】本発明の第１０の実施例であるディスプレイ付パッチアンテナＤＡ１０において、パッチ素子２７とディスプレイ３７との関係を示す図である。
【図１８】従来のディスプレイ付パッチアンテナＤＡ２０を示す側面図である。
【符号の説明】
ＤＡ１〜ＤＡ１０…ディスプレイ付パッチアンテナ、
１１，１２…基体、
２１〜２７…パッチ素子、
３１〜３７…ディスプレイ。
【図１】
2004080159.tif 000003
【図２】
2004080159.tif 000004
【図３】
2004080159.tif 000005
【図４】
2004080159.tif 000006
【図５】
2004080159.tif 000007
【図６】
2004080159.tif 000008
【図７】
2004080159.tif 000009
【図８】
2004080159.tif 000010
【図９】
2004080159.tif 000011
【図１０】
2004080159.tif 000012
【図１１】
2004080159.tif 000013
【図１２】
2004080159.tif 000014
【図１３】
2004080159.tif 000015
【図１４】
2004080159.tif 000016
【図１５】
2004080159.tif 000017
【図１６】
2004080159.tif 000018
【図１７】
2004080159.tif 000019
【図１８】
2004080159.tif 000020